(57)【要約】【課題】表示品位を悪化させずに、光の取り出し効率を向上させ、駆動電圧マージンを確保しながら、低消費電力かつ低電圧駆動を可能とするプラズマディスプレイパネルを提供する。【解決手段】走査電極２本、維持電極１本により隣接する行方向２ラインを形成し、維持電極４幅は走査電極の２〜３倍の幅を有し、走査電極３及び維持電極４の直上には、透明電極３ａ、４ａが必ずそれらを覆うように列方向に連続して形成されることを特徴とする構成であり、放電ギャップ近傍の走査電極側透明電極３ａ及び維持電極側透明電極４ａは列方向に連続して形成され、少なくとも放電空間内の維持電極側の電極面積は走査電極側の面積と同等となるように、維持電極側透明電極４ａと走査電極側透明電極３ａを非対称な形状とした。【選択図】図７
2009283160.tif 000002
【特許請求の範囲】
【請求項１】
複数の走査電極と維持電極とからなる表示電極を配置した前面基板と、前記表示電極に交差するようにデータ電極を配置した背面基板との間に放電空間が形成されるように対向配置したプラズマディスプレイパネルと、前記プラズマディスプレイパネルを前面側に保持するとともに、前記プラズマディスプレイパネルを駆動させるための駆動回路ブロックを背面側に配置するシャーシ部材とを有し、
前記走査電極２本と前記維持電極１本により隣接する行方向２ラインを形成し、前記維持電極の幅は前記走査電極の約２〜３倍の幅を有し、前記走査電極及び前記維持電極の直上には透明電極が列方向に連続して形成されることを特徴とするプラズマディスプレイパネル。
【請求項２】
放電ギャップ近傍の走査電極側透明電極及び維持電極側透明電極は列方向に連続して形成され、少なくとも放電空間内の維持電極側の電極面積は走査電極側の電極面積と同等で、前記維持電極側透明電極と前記走査電極側透明電極を非対称な形状にすることを特徴とする請求項１記載のプラズマディスプレイパネル。
【請求項３】
走査電極をブラックストライプで覆うことを特徴とする請求項２に記載のプラズマディスプレイパネル。
【請求項４】
走査電極側透明電極及び維持電極側透明電極は列方向に連続した形状で、前記走査電極側透明電極の形状は、隣接する走査電極側透明電極の間隔がセルピッチの１／３以上を確保する走査電極側透明電極の幅を有することを特徴とする請求項１記載のプラズマディスプレイパネル。
【請求項５】
維持電極直下に対応する箇所には保護層を形成しないことを特徴とする請求項１記載のプラズマディスプレイパネル。
【請求項６】
維持電極直下に対応する箇所に、絶縁性の材料で層を形成することを特徴とする請求項１記載のプラズマディスプレイパネル。
【発明の詳細な説明】
【技術分野】
【０００１】
本発明は、プラズマディスプレイパネル（以下、パネルという）を表示デバイスとして用いたプラズマディスプレイ装置に関するものである。
【背景技術】
【０００２】
このプラズマディスプレイ装置に用いられるパネルは、大別して、駆動的にはＡＣ型とＤＣ型があり、放電形式では面放電型と対向放電型の２種類があるが、高精細化、大画面化および製造の簡便性から、現状では、プラズマディスプレイ装置の主流は、３電極構造の面放電型のものである。
【０００３】
この面放電型のプラズマディスプレイパネル構造は、少なくとも前面側が透明な一対の基板を基板間に放電空間が形成されるように対向配置するとともに、放電空間を複数に仕切るための隔壁を基板に配置し、かつ隔壁により仕切られた放電空間で放電が発生するように基板に電極群を配置するとともに放電により発光する赤色、緑色、青色に発光する蛍光体を設けて複数の放電セルを構成したもので、放電により発生する波長の短い真空紫外光によって蛍光体を励起し、赤色、緑色、青色の放電セルからそれぞれ赤色、緑色、青色の可視光を発することによりカラー表示を行っている。
【０００４】
このようなプラズマディスプレイ装置は、液晶パネルに比べて高速の表示が可能であり、視野角が広いこと、大型化が容易であること、自発光型であるため表示品質が高いことなどの理由から、フラットパネルディスプレイの中で最近特に注目を集めており、多くの人が集まる場所での表示装置や家庭で大画面の映像を楽しむための表示装置として各種の用途に使用されている。
【０００５】
このようなプラズマディスプレイ装置においては、ガラスが主材料のパネルをアルミニウムなどの金属製のシャーシ部材の前面側に保持させ、そのシャーシ部材の背面側にパネルを発光させるための駆動回路を構成する回路基板を配置することによりモジュールを構成している（特許文献１参照）。
【特許文献１】特開２００３−１３１５８０号公報
【発明の開示】
【発明が解決しようとする課題】
【０００６】
ところで、プラズマディスプレイ装置においては、図１からもわかるように、発光が強い放電ギャップ付近にバス電極が存在するため、光の取出し効率が十分ではないという難点がある。また、高精細になるほど、光の取り出し効率を上げるために必然的にバス電極幅を細くすることで、１ライン当たりの抵抗が高くなり、駆動電圧が上昇する課題もある。
【０００７】
さらに先行例として出願されている特開２００４−４２６６１号公報（出願番号２０００−２２３１８５号）のような構造だと、維持放電時に維持電極側が明るくなり、明線のムラが２行周期毎に発生してしまう。つまり表示品位が悪化する課題が生じる。
【０００８】
また、セル毎に透明電極を分割していることで維持電圧が高くなるとともに、黄変が悪化してしまう課題がある。さらに１セル当たりの投入電力が増加することで、維持期間で発生する縦方向及び横方向の干渉が悪化し、駆動電圧マージンを圧迫してしまう課題がある。
【０００９】
本発明はこのような現状に鑑みなされたもので、表示品位を悪化させずに、光の取り出し効率を向上させ、駆動電圧マージンを確保しながら、低消費電力かつ低電圧駆動を可能とするプラズマディスプレイパネルを提供することを目的とする。
【課題を解決するための手段】
【００１０】
この課題を解決するために本発明は、複数の表示電極を配置した前面基板と表示電極に交差するようにデータ電極を配置した背面基板とを間に放電空間が形成されるように対向配置したプラズマディスプレイパネルと、このプラズマディスプレイパネルを前面側に保持し背面側にプラズマディスプレイパネルを駆動させるための駆動回路ブロックを配置したシャーシ部材とを有し、第一の構成としては、走査電極２本、維持電極１本により隣接する行方向２ラインを形成し、維持電極幅は走査電極の２〜３倍の幅を有し、走査電極及び維持電極の直上には、透明電極が必ずそれらを覆うように列方向に連続して形成されることを特徴とする構成であり、放電ギャップ近傍の走査電極側透明電極及び維持電極側透明電極は列方向に連続して形成され、少なくとも放電空間内の維持電極側の電極面積は走査電極側の面積と同等となるように、維持電極側透明電極と走査電極側透明電極を非対称な形状にすることを特徴とする。
【００１１】
第二の構成としては、第一の構成から走査電極はブラックストライプで全て覆うことを特徴とする。
【００１２】
第三の構成としては、請求項１記載のプラズマディスプレイパネルにおいて、走査電極側透明電極及び維持電極側透明電極は列方向に連続した形状で、走査電極側透明電極形状は、隣接する走査電極側透明電極の間隔がセルピッチの１／３以上を確保するような走査電極側透明電極幅を有することを特徴とする。
【００１３】
第四の構成としては、請求項１記載のプラズマディスプレイパネルにおいて、維持電極直下に対応する箇所には保護層を形成しないことを特徴とする。
【００１４】
第五の構成としては、請求項１記載のプラズマディスプレイパネルにおいて、維持電極直下に対応する箇所に、絶縁性の材料で層を形成することを特徴とする。
【発明の効果】
【００１５】
本発明によれば、表示品位を悪化させずに光の取り出し効率を向上させ、駆動電圧マージンを確保しながら、低消費電力かつ低電圧駆動を可能とするプラズマディスプレイパネルを得ることができる。
【発明を実施するための最良の形態】
【００１６】
以下、本発明の一実施の形態によるプラズマディスプレイ装置について、図面を用いて説明するが、本発明の実施の態様はこれに限定されるものではない。
【００１７】
まず、プラズマディスプレイ装置におけるパネルの構造について図１を用いて説明する。図１に示すように、パネルは、ガラス製の前面基板１と背面基板２とを、その間に放電空間を形成するように対向配置することにより構成されている。前面基板１上には表示電極を構成する走査電極３と維持電極４とが互いに平行に対をなして複数形成されている。そして、走査電極３および維持電極４を覆うように誘電体層５が形成され、誘電体層５上には保護層６が形成されている。
【００１８】
また、背面基板２上には絶縁体層７で覆われた複数のデータ電極８が設けられ、その絶縁体層７上には井桁状の隔壁９が設けられている。また、絶縁体層７の表面および隔壁９の側面に蛍光体層１０が設けられている。そして、走査電極３および維持電極４とデータ電極８とが交差するように前面基板１と背面基板２とが対向配置されており、その間に形成される放電空間には、放電ガスとして、例えばネオンとキセノンの混合ガスが封入されている。なお、パネルの構造は上述したものに限られるわけではなく、例えばストライプ状の隔壁を備えたものであってもよい。
【００１９】
図２はこのパネルの電極配列図である。行方向にｎ本の走査電極ＳＣ１〜ＳＣｎ（図１の走査電極３）およびｎ本の維持電極ＳＵ１〜ＳＵｎ（図１の維持電極４）が配列され、列方向にｍ本のデータ電極Ｄ１〜Ｄｍ（図１のデータ電極８）が配列されている。そして、１対の走査電極ＳＣｉおよび維持電極ＳＵｉ（ｉ＝１〜ｎ）と１つのデータ電極Ｄｊ（ｊ＝１〜ｍ）とが交差した部分に放電セルが形成され、放電セルは放電空間内にｍ×ｎ個形成されている。
【００２０】
図３はこのパネルを用いたプラズマディスプレイ装置の回路ブロック図である。このプラズマディスプレイ装置は、パネル１１、画像信号処理回路１２、データ電極駆動回路１３、走査電極駆動回路１４、維持電極駆動回路１５、タイミング発生回路１６および電源回路（図示せず）を備えている。
【００２１】
画像信号処理回路１２は、画像信号ｓｉｇをサブフィールド毎の画像データに変換する。データ電極駆動回路１３はサブフィールド毎の画像データを各データ電極Ｄ１〜Ｄｍに対応する信号に変換し、各データ電極Ｄ１〜Ｄｍを駆動する。タイミング発生回路１６は水平同期信号Ｈおよび垂直同期信号Ｖをもとにして各種のタイミング信号を発生し、各駆動回路ブロックに供給している。走査電極駆動回路１４はタイミング発生回路１６からのタイミング信号にもとづいて走査電極ＳＣ１〜ＳＣｎに駆動電圧波形を供給し、維持電極駆動回路１５はタイミング発生回路１６からのタイミング信号にもとづいて維持電極ＳＵ１〜ＳＵｎに駆動電圧波形を供給する。ここで、走査電極駆動回路１４および維持電極駆動回路１５は、維持パルス発生部１７を備えている。
【００２２】
次に、パネルを駆動するための駆動電圧波形とその動作について図４を用いて説明する。図４はパネルの各電極に印加する駆動電圧波形を示す図である。
【００２３】
本実施の形態によるプラズマディスプレイ装置においては、１フィールドを複数のサブフィールドに分割し、それぞれのサブフィールドは初期化期間、書込み期間、維持期間を有している。
【００２４】
第１サブフィールドの初期化期間では、データ電極Ｄ１〜Ｄｍおよび維持電極ＳＵ１〜ＳＵｎを０（Ｖ）に保持し、走査電極ＳＣ１〜ＳＣｎに対して放電開始電圧以下となる電圧Ｖｉ１（Ｖ）から放電開始電圧を超える電圧Ｖｉ２（Ｖ）に向かって緩やかに上昇するランプ電圧を印加する。すると、すべての放電セルにおいて１回目の微弱な初期化放電を起こし、走査電極ＳＣ１〜ＳＣｎ上に負の壁電圧が蓄えられるとともに維持電極ＳＵ１〜ＳＵｎ上およびデータ電極Ｄ１〜Ｄｍ上に正の壁電圧が蓄えられる。ここで、電極上の壁電圧とは電極を覆う誘電体層や蛍光体層上等に蓄積した壁電荷により生じる電圧を指す。
【００２５】
その後、維持電極ＳＵ１〜ＳＵｎを正の電圧Ｖｈ（Ｖ）に保ち、走査電極ＳＣ１〜ＳＣｎに電圧Ｖｉ３（Ｖ）から電圧Ｖｉ４（Ｖ）に向かって緩やかに下降するランプ電圧を印加する。すると、すべての放電セルにおいて２回目の微弱な初期化放電を起こし、走査電極ＳＣ１〜ＳＣｎ上と維持電極ＳＵ１〜ＳＵｎ上との間の壁電圧が弱められ、データ電極Ｄ１〜Ｄｍ上の壁電圧も書込み動作に適した値に調整される。
【００２６】
続く書込み期間では、走査電極ＳＣ１〜ＳＣｎを一旦Ｖｒ（Ｖ）に保持する。次に、１行目の走査電極ＳＣ１に負の走査パルス電圧Ｖａ（Ｖ）を印加するとともに、データ電極Ｄ１〜Ｄｍのうち１行目に表示すべき放電セルのデータ電極Ｄｋ（ｋ＝１〜ｍ）に正の書込みパルス電圧Ｖｄ（Ｖ）を印加する。このときデータ電極Ｄｋと走査電極ＳＣ１との交差部の電圧は、外部印加電圧（Ｖｄ−Ｖａ）（Ｖ）にデータ電極Ｄｋ上の壁電圧と走査電極ＳＣ１上の壁電圧とが加算されたものとなり、放電開始電圧を超える。そして、データ電極Ｄｋと走査電極ＳＣ１との間および維持電極ＳＵ１と走査電極ＳＣ１との間に書込み放電が起こり、この放電セルの走査電極ＳＣ１上に正の壁電圧が蓄積され、維持電極ＳＵ１上に負の壁電圧が蓄積され、データ電極Ｄｋ上にも負の壁電圧が蓄積される。
【００２７】
このようにして、１行目に表示すべき放電セルで書込み放電を起こして各電極上に壁電圧を蓄積する書込み動作が行われる。一方、書込みパルス電圧Ｖｄ（Ｖ）を印加しなかったデータ電極Ｄ１〜Ｄｍと走査電極ＳＣ１との交差部の電圧は放電開始電圧を超えないので、書込み放電は発生しない。以上の書込み動作をｎ行目の放電セルに至るまで順次行い、書込み期間が終了する。
【００２８】
続く維持期間では、走査電極ＳＣ１〜ＳＣｎには第１の電圧として正の維持パルス電圧Ｖｓ（Ｖ）を、維持電極ＳＵ１〜ＳＵｎには第２の電圧として接地電位、すなわち０（Ｖ）をそれぞれ印加する。このとき書込み放電を起こした放電セルにおいては、走査電極ＳＣｉ上と維持電極ＳＵｉ上との間の電圧は維持パルス電圧Ｖｓ（Ｖ）に走査電極ＳＣｉ上の壁電圧と維持電極ＳＵｉ上の壁電圧とが加算されたものとなり、放電開始電圧を超える。そして、走査電極ＳＣｉと維持電極ＳＵｉとの間に維持放電が起こり、このとき発生した紫外線により蛍光体層が発光する。そして走査電極ＳＣｉ上に負の壁電圧が蓄積され、維持電極ＳＵｉ上に正の壁電圧が蓄積される。このときデータ電極Ｄｋ上にも正の壁電圧が蓄積される。
【００２９】
書込み期間において書込み放電が起きなかった放電セルでは、維持放電は発生せず、初期化期間の終了時における壁電圧が保持される。続いて、走査電極ＳＣ１〜ＳＣｎには第２の電圧である０（Ｖ）を、維持電極ＳＵ１〜ＳＵｎには第１の電圧である維持パルス電圧Ｖｓ（Ｖ）をそれぞれ印加する。すると、維持放電を起こした放電セルでは、維持電極ＳＵｉ上と走査電極ＳＣｉ上との間の電圧が放電開始電圧を超えるので、再び維持電極ＳＵｉと走査電極ＳＣｉとの間に維持放電が起こり、維持電極ＳＵｉ上に負の壁電圧が蓄積され走査電極ＳＣｉ上に正の壁電圧が蓄積される。
【００３０】
以降同様に、走査電極ＳＣ１〜ＳＣｎと維持電極ＳＵ１〜ＳＵｎとに交互に輝度重みに応じた数の維持パルスを印加することにより、書込み期間において書込み放電を起こした放電セルで維持放電が継続して行われる。こうして維持期間における維持動作が終了する。
【００３１】
続くサブフィールドにおける初期化期間、書込み期間、維持期間の動作も第１サブフィールドにおける動作とほぼ同様のため、説明を省略する。
【００３２】
図５に上記で説明した構造のパネルを組み込んだプラズマディスプレイ装置の全体構成の一例を示し、図６に背面側から見た駆動回路ブロックの配置の一例を示している。
【００３３】
図において、２１はアルミニウムなどの金属製の放熱板を兼ねた保持板としてのシャーシ部材で、このシャーシ部材２１の前面側には、パネル１１がシャーシ部材２１との間に放熱シート（図５には図示せず）を介在させて接着材などにより接着することにより、保持されている。また、シャーシ部材２１の背面側には、図６に示すように、パネル１１を表示駆動させるための複数の駆動回路ブロックが配置され、これによりモジュールが構成されている。
【００３４】
ここで、放熱シートは、パネル１１をシャーシ部材２１の前面側に接着して保持し、パネル１１で発生した熱をシャーシ部材２１に効率よく伝え、放熱を行うためのものであり、厚さは１ｍｍ〜２ｍｍ程度である。この放熱シートとしては、アクリルやウレタン、シリコン樹脂やゴムなどの合成樹脂材料に熱伝導性を高めるフィラーを含有させた絶縁性の放熱シートや、グラファイトシート、金属シートなどを用いることができる。また、放熱シート自体に接着力を持たせ、パネル１１をシャーシ部材２１に放熱シートのみで接着して保持する構成や、放熱シートには接着力がなく、別の両面接着テープを用いてパネル１１をシャーシ部材２１に接着する構成などを用いることができる。
【００３５】
また、パネル１１の両側縁部には、走査電極３および維持電極４の電極引出部に接続された表示電極用配線部材としてのフレキシブル配線板２２が設けられ、シャーシ部材２１の外周部を通して背面側に引き回され、走査電極駆動回路１４の駆動回路ブロック２３および維持電極駆動回路１５の駆動回路ブロック２４にコネクタを介して接続されている。
【００３６】
一方、パネル１１の下部および上部縁部には、データ電極８の電極引出部に接続されたデータ電極用配線部材としての複数のフレキシブル配線板２５が設けられ、そしてそのフレキシブル配線板２５は、データ電極駆動回路１３の複数のデータドライバ２６それぞれに電気的に接続されるとともに、シャーシ部材２１の外周部を通して背面側に引き回され、シャーシ部材２１の背面側の下部および上部位置に配置されたデータ電極駆動回路１３の駆動回路ブロック２７に電気的に接続されている。
【００３７】
制御回路ブロック２８は、テレビジョンチューナ等の外部機器に接続するための接続ケーブルが着脱可能に接続される入力端子部を備えた入力信号回路ブロック２９から送られる映像信号に基づき、画像データをパネル１１の画素数に応じた画像データ信号に変換してデータ電極駆動回路の駆動回路ブロック２７に供給すると共に、放電制御タイミング信号を発生し、各々走査電極駆動回路１４の駆動回路ブロック２３および維持電極駆動回路１５の駆動回路ブロック２４に供給し、階調制御等の表示駆動制御を行うもので、シャーシ部材２１のほぼ中央部に配置されている。
【００３８】
電源ブロック３０は、各回路ブロックに電圧を供給するもので、制御回路ブロック２８と同様、シャーシ部材２１のほぼ中央部に配置され、電源ケーブル（図示せず）が装着されるコネクタを通して商用電源電圧が供給される。これらの駆動回路ブロック２３、駆動回路ブロック２４、２７や制御回路ブロック２８や入力信号回路ブロック２９や電源ブロック３０は、シャーシ部材２１の背面側に設けられたボス部にビスなどにより固定されている。
【００３９】
また、駆動回路ブロック２３、駆動回路ブロック２４の近傍には、冷却ファン３１がアングル３２に保持されて配置されており、この冷却ファン３１から送られる風により駆動回路ブロック２３、駆動回路ブロック２４が冷却されるように構成されている。さらに、シャーシ部材２１の上部位置には、上部位置に配置したデータ電極駆動回路１３の駆動回路ブロック２７を冷却するとともに、シャーシ部材２１の背面側において、装置全体の内部に下部から上部に向かって空気流を起こすことにより、装置内部を冷却する３個の冷却ファン３３が配置されている。
【００４０】
さらに、シャーシ部材２１には、補強用のアングル３４、補強用のアングル３５が水平方向および垂直方向に配置して固定され、水平方向に配置したアングル３４には、装置を立てた状態で保持するためのスタンドポール３６がビスなどにより固定されている。
【００４１】
以上のような構造のモジュールは、パネル１１の前面側に配置される前面保護カバー３７と、シャーシ部材２１の背面側に配置される金属製のバックカバー３８とを有する筐体内に収容され、これによりプラズマディスプレイ装置が完成する。ここで、前面保護カバー３７は、パネル１１の前面側の画像表示領域が表出する開口部３９ａを有する樹脂や金属からなる前面枠３９と、この前面枠３９の開口部３９ａに取付けられかつ光学フィルターや電磁波の不要輻射を抑制するための不要輻射抑制膜が設けられたガラスなどからなる保護板４０とを備えた構成であり、保護板４０は、保護板４０の周辺部を前面枠３９の開口部３９ａの周縁部と保護板押え金具（図示せず）とで挟むことにより、前面枠３９に取り付けられている。さらに、バックカバー３８には、モジュールで発生した熱を外部に放出するための複数の通気孔（図示せず）が設けられている。
【００４２】
なお、図５において、４１はバックカバー３８をシャーシ部材２１に取付けるためのビス、４２はバックカバー３８にビスなどで取付けた把持部である。
【００４３】
次に、本実施の形態によるプラズマディスプレイ装置の特徴部分について、詳細に説明する。
【００４４】
（実施例１）
第一実施例は図７に示すように、上下隣接セルにまたがるように維持電極４を一本化で配置し、走査電極３は各セルに1本ずつ配置する。この時、維持電極４の幅は走査電極３の幅の２倍以上３倍以下としておく。走査電極側にはブラックストライプ１８が形成されている。放電空間内の透明電極形状については、放電ギャップ近傍は、維持電極側透明電極４ａと走査電極側透明電極３ａ共に隣接セルを跨ぐように形成する。少なくとも、放電空間内の維持電極４側の電極面積は走査電極３側の面積と同等となるように、維持電極側透明電極４ａと走査電極側透明電極３ａを非対称な形状にする。さらに駆動電圧マージンを確保するために、上記関係を遵守しながら、走査電極側透明電極３ａの形状を維持電極側透明電極４ａの形状のように面積低減しても良い。このようなセル構造を実現することで、放電時の２行周期で発生する明線を抑制しつつ、光の取り出し効率を向上させることができるので、低消費電力を実現することができる。また、維持電極一本化による１セル当たりの投入電力増加についても、維持側電極面積を削ることで抑制することができ、駆動電圧マージンを確保することができる。維持電極側の１ライン当たりの抵抗についても３３％〜６６％は低減できるので、低電圧駆動が可能となる。図８は図７の断面図である。透明電極３ａ及び４ａは走査電極３及び維持電極４を被せるように形成しているため、黄変を抑制することが可能となる。
【００４５】
（実施例２）
第二実施例は図９に示すように、図７から走査電極側をブラックストライプ１８で覆ってもよい。図１０は図９の断面図である。図７の効果に加え、さらにセル開口幅が増え、光取り出し効率が向上する。また、図７だと、黒幅の間隔が走査電極側と維持電極側とで異なってしまうが、図９のような構造だと、それが同等となっており、見た目に違和感を生むことも無くなる。この場合も、第一実施例同様さらに駆動電圧マージンを確保するために、走査電極側透明電極３ａの形状は、放電空間内の走査電極３側の電極面積と維持電極４側の電極面積が同等となるように、維持電極側透明電極４ａの形状のような面積低減を行っても良い。
【００４６】
（実施例３）
第三実施例は図１１に示すように、図７の形態から、走査電極３幅を太くし、ブラックストライプ１８を削除した形態である。図１２は図１１の断面図である。セル開口幅は図７と同等を確保でき、走査電極側のライン抵抗も低減できるため、駆動電圧がさらに低減できる形態である。この場合も、第一実施例同様さらに駆動電圧マージンを確保するために、走査電極側透明電極３ａの形状は、放電空間内の走査電極３側の電極面積と維持電極４側の電極面積が同等となるように、維持電極側透明電極４ａの形状のような面積低減を行っても良い。
【００４７】
（実施例４）
第四実施例は図１３に示すように、走査電極側透明電極３ａ及び、維持電極側透明電極４ａの形状は同一形状だが、走査電極側透明電極３ａの間はセルピッチの１／３以上は確保するため、走査電極側透明電極の幅が図７より減少した形態となる。図１４は図１３の断面図である。この形態は透明電極が形成し易く、背面板と組み合わせる際の水平方向ズレの懸念が無いため、図７の形態よりも、歩留まりに対するマージンが確保できる。また、図７の形態よりも隣接セルの縦方向干渉も抑制することができ、駆動電圧マージンを拡大させることが可能となる。
【００４８】
（実施例５）
第五実施例は、図１５に示すように、従来のセル構造から上下隣接セルにまたがるように維持電極４を一本化で配置した形態であるが、一本化した維持電極４に対応する箇所には保護層が形成されない形態である。図１６は図１５の断面図である。保護層が形成されていない箇所は放電が広がることは無いので、１セル当たりの投入電力を抑制することができ、第一実施例と同様の効果を得ることができる。
【００４９】
（実施例６）
第６実施例は図１７に示すように、従来のセル構造から上下隣接セルにまたがるように維持電極４を一本化で配置した形態であるが、一本化した維持電極４に対応する箇所に、絶縁性の材料で放電を抑制する層を形成する。図１８は図１７の断面図である。絶縁性材料による層が放電を抑制することで、第一実施例と同様の効果を得ることができる。
【００５０】
本発明においては、上述したように、表示品位を悪化させずに光の取り出し効率を向上させ、駆動電圧マージンを確保しながら、低消費電力かつ低電圧駆動を可能とすることができる。
【産業上の利用可能性】
【００５１】
以上のように本発明は、大画面、高精細のプラズマディスプレイ装置を提供する上で有用な発明である。
【図面の簡単な説明】
【００５２】
【図１】本発明の一実施の形態によるプラズマディスプレイ装置に用いるパネルの要部を示す斜視図
【図２】同パネルの電極配列図
【図３】同プラズマディスプレイ装置の回路ブロック図
【図４】パネルの各電極に印加する駆動電圧波形を示す波形図
【図５】同プラズマディスプレイ装置の全体構成を示す分解斜視図
【図６】同プラズマディスプレイ装置を背面側から見た配置の一例を示す平面図
【図７】本発明の第一実施例であるプラズマディスプレイパネルの一部の平面図
【図８】同プラズマディスプレイパネルの断面図
【図９】本発明の第二実施例であるプラズマディスプレイパネルの一部の平面図
【図１０】同プラズマディスプレイパネルの断面図
【図１１】本発明の第三実施例であるプラズマディスプレイパネルの一部の平面図
【図１２】同プラズマディスプレイパネルの断面図
【図１３】本発明の第四実施例であるプラズマディスプレイパネルの一部の平面図
【図１４】同プラズマディスプレイパネルの断面図
【図１５】本発明の第五実施例であるプラズマディスプレイパネルの一部の平面図
【図１６】同プラズマディスプレイパネルの断面図
【図１７】本発明の第六実施例であるプラズマディスプレイパネルの一部の平面図
【図１８】同プラズマディスプレイパネルの断面図
【符号の説明】
【００５３】
１  前面基板
２  背面基板
３  走査電極
３ａ  走査電極側透明電極
４  維持電極
４ａ  維持電極側透明電極
５  前面側誘電体層
６  保護層
７  絶縁体層
８  データ電極
９  隔壁
１０  蛍光体層
１１  パネル
１２  絶縁体層
１８  ブラックストライプ
２１  シャーシ部材
２２、２５  フレキシブル配線板
２３、２４、２７  駆動回路ブロック
２６  データドライバ
４３  ベース板
４４、４５  金属板
【図１】
2009283160.tif 000003
【図２】
2009283160.tif 000004
【図３】
2009283160.tif 000005
【図４】
2009283160.tif 000006
【図５】
2009283160.tif 000007
【図６】
2009283160.tif 000008
【図７】
2009283160.tif 000009
【図８】
2009283160.tif 000010
【図９】
2009283160.tif 000011
【図１０】
2009283160.tif 000012
【図１１】
2009283160.tif 000013
【図１２】
2009283160.tif 000014
【図１３】
2009283160.tif 000015
【図１４】
2009283160.tif 000016
【図１５】
2009283160.tif 000017
【図１６】
2009283160.tif 000018
【図１７】
2009283160.tif 000019
【図１８】
2009283160.tif 000020